(57)【要約】【課題】レーザダイオードによる発光を利用した各種機器において、外来ノイズやその他の原因によるレーザダイオードの異常発光を、より確実に抑えることができ、レーザダイオードの異常発光による誤動作や故障を防止することができる半導体レーザ制御装置を提供する。【解決手段】従来、吸い込み電流能力より相対的に小さい吐き出し電流能力であるオペアンプ２を、吸い込み電流能力と吐き出し電流能力を同等にすることにより、レーザダイオード６の駆動電圧１０１を、回路に飛び込む外来ノイズによる変動によってレーザダイオード６を異常発光に至らないようにする。【選択図】図１
2006237177.tif 000002
【特許請求の範囲】
【請求項１】
レーザ光を出射する半導体レーザと、前記レーザ光を光電変換し前記レーザ光に対応する電気信号を出力する受光素子と、前記受光素子からの前記電気信号と予め設定された目標電圧の基準信号とを比較し、その差分に応じた制御信号を出力する制御手段と、前記制御信号に従って前記差分を打ち消すように前記半導体レーザに駆動電流を供給する電流供給手段とを有し、前記制御手段の吸い込み電流能力より小さい吐き出し電流能力を増やし、前記制御手段における前記吸い込み電流能力と吐き出し電流能力を同等とし、前記駆動電流を安定に供給することを特徴とする半導体レーザ制御装置。
【請求項２】
レーザ光を出射する半導体レーザと、前記レーザ光を光電変換し前記レーザ光に対応する電気信号を出力する受光素子と、前記受光素子からの前記電気信号と予め設定された目標電圧の基準信号とを比較し、その差分に応じた制御信号を出力する制御手段と、前記制御信号に従って前記差分を打ち消すように前記半導体レーザに駆動電流を供給する電流供給手段とを有し、前記電流供給手段によって前記制御手段の吸い込み電流能力より小さい吐き出し電流能力を補い、前記吸い込み電流能力と吐き出し電流能力を同等とし、前記駆動電流を安定化することを特徴とする半導体レーザ制御装置。
【請求項３】
レーザ光を出射する半導体レーザと、前記レーザ光を光電変換し前記レーザ光に対応する電気信号を出力する受光素子と、前記受光素子からの前記電気信号上のノイズを打ち消す手段と、前記ノイズ打ち消し手段からの信号と予め設定された目標電圧の基準信号とを比較し、その差分に応じた制御信号を出力する制御手段と、前記制御信号に従って前記差分を打ち消すように前記半導体レーザに駆動電流を供給する電流供給手段とを有し、前記ノイズ打ち消し手段よって前記受光素子からの前記電気信号上のノイズを打ち消し、前記駆動電流を安定化することを特徴とする半導体レーザ制御装置。
【請求項４】
レーザ光を出射する半導体レーザと、前記レーザ光を光電変換し前記レーザ光に対応する電気信号を出力する受光素子と、前記受光素子からの前記電気信号上のノイズを抽出する手段と、前記受光素子からの前記電気信号と、前記ノイズ抽出手段からのノイズ成分を予め設定された目標電圧の基準信号に加算した信号とを比較し、その差分に応じた制御信号を出力する制御手段と、前記制御信号に従って前記差分を打ち消すように前記半導体レーザに駆動電流を供給する電流供給手段とを有し、前記ノイズ抽出手段からのノイズ成分と前記基準信号との加算によって、前記受光素子からの前記電気信号上のノイズを相殺し、前記駆動電流を安定化することを特徴とする半導体レーザ制御装置。
【請求項５】
レーザ光を出射する半導体レーザと、前記レーザ光を光電変換し前記レーザ光に対応する電気信号を出力する受光素子と、前記受光素子からの前記電気信号により前記半導体レーザの異常発光を検出する手段と、前記受光素子からの前記電気信号と予め設定された目標電圧の基準信号とを比較し、その差分に応じた制御信号を出力する制御手段と、前記制御信号に従って前記差分を打ち消すように前記半導体レーザに駆動電流を供給する電流供給手段とを有し、前記異常発光検出手段からの異常発光検出信号によって、前記半導体レーザへの前記駆動電流の供給を停止することを特徴とする半導体レーザ制御装置。
【請求項６】
レーザ光を出射する半導体レーザと、前記レーザ光を光電変換し前記レーザ光に対応する電気信号を出力する受光素子と、前記受光素子からの前記電気信号上のノイズを検出する手段と、前記ノイズ検出手段からのノイズ検出信号により前記受光素子からの前記電気信号を保持する電圧保持手段と、前記電圧保持手段からの保持信号と予め設定された目標電圧の基準信号とを比較し、その差分に応じた制御信号を出力する制御手段と、前記制御信号に従って前記差分を打ち消すように前記半導体レーザに駆動電流を供給する電流供給手段とを有し、前記ノイズ検出手段で前記ノイズを検出した場合には、前記制御手段は、前記ノイズ検出前に前記電圧保持手段に保持した前記受光素子からの前記電気信号と前記基準信号とを比較して、前記制御信号への前記ノイズの影響をなくし、前記駆動電流を安定化することを特徴とする半導体レーザ制御装置。
【発明の詳細な説明】
【技術分野】
【０００１】
本発明は、例えば光ディスク装置等に用いられ、光記録媒体に対して情報を再生するための半導体レーザを制御する半導体レーザ制御装置に関するものである。
【背景技術】
【０００２】
近年、高性能な半導体レーザが安価に供給されるようになり、種々の情報機器、例えばレーザプリンタや、光記録媒体（例えば、光ディスク）に対して情報を記録再生する光ディスク装置等において、それらの光ヘッド部分として広く利用されている。
【０００３】
一般に、情報機器のヘッドの光源として半導体レーザを用いる場合、動作の定常状態においてレーザビーム光量を一定に保つために、半導体レーザ制御回路は、自動光量制御機構を内蔵している。
【０００４】
しかし、自動光量制御機構に故障が生じた場合には、光量制御が働かなくなり、半導体レーザが異常発光する危険があった。
そこで、上記のような危険性を避けるためのもので、例えば光ディスク装置等に用いられ、光記録媒体に対して情報を再生するための半導体レーザからの異常発光を検出して、半導体レーザによる発光を制御する半導体レーザ制御装置（例えば、特許文献１を参照）が提案されている。
【０００５】
以上のような従来の半導体レーザ制御装置について、図面を用いて以下に説明する。
図８は従来の半導体レーザ制御装置の構成を示すブロック図である。この半導体レーザ制御装置は、図８に示すように、パッケージ１００１の中には半導体レーザ１００１ａと受光素子１００１ｂが収納されている。受光素子１００１ｂは半導体レーザ１００１ａから出射されるレーザ光を受光し、光電変換して対応する電気信号を出力する。
【０００６】
受光素子１００１ｂにはモニタ回路１１０１が接続されており、受光素子１００１ｂからの電気信号をモニタし、レーザ光量の変動に応じたモニタ信号を出力する。モニタ回路１１０１は、受光素子１００１ｂからの電気信号を検出するために第１の検出抵抗（図示せず）を有し、その検出結果に基づいて第１モニタ信号を出力する。さらに、この電気信号を別に検出するために、第１の検出抵抗に接続された第２の検出抵抗（図示せず）を有し、その検出結果に基づいて第１モニタ信号に相関する第２のモニタ信号を出力する。
【０００７】
モニタ回路１１０１には制御回路１１０２が接続されており、第１モニタ信号と所定の基準信号を比較し、その差分に応じた制御信号を出力する。制御回路１１０２には電力回路１１０３が接続されており、制御回路１１０２からの制御信号に従って差分を打ち消すように駆動電力を半導体レーザ１００１ａに供給する。
【０００８】
このように、半導体レーザ１００１ａ、受光素子１００１ｂ、モニタ回路１１０１、制御回路１１０２および電力回路１１０３によりサーボループを形成し、レーザ光量の自動調整を行っている。つまり、モニタ回路１１０１には異常検出回路１１０４が接続されており、基準信号とは異なる参照信号と第２のモニタ信号とを比較することにより、異常を検出し異常信号ＬＤＮＧを出力する。制御回路１１０２に設けられた強制消灯回路（図示せず）により、異常信号ＬＤＮＧに応答して半導体レーザを強制的に消灯する。
【０００９】
また、異常検出回路１１０４は、基準信号の大きさに比べて設定された下限参照信号に対して第２のモニタ信号が下回るとき、または、基準信号の大きさに比べて大きく設定された上限参照信号に対して第２のモニタ信号が上回るとき、異常信号を出力して半導体レーザの駆動回路の異常を警告するようになっている。
【００１０】
加えて、このモニタ回路１１０１は、受光素子１００１ｂからの電気信号を検出するために互いに直列に接続された第１および第２の検出抵抗を有し、第１の検出抵抗の両端に生じた電位差に応じて第１のモニタ信号を形成する回路と、第２の検出抵抗の両端に応じた電位差に応じて第２のモニタ信号を形成する回路とを含む。
【００１１】
このように構成された従来の半導体レーザ制御装置では、半導体レーザ、受光素子、自動光量制御サーボループに異常が発生し、第２のモニタ信号が基準信号に比べて大きく変動した場合には、直ちに異常信号を出力するようになっており、半導体レーザの故障や劣化によりレーザ光量が消滅あるいは低下することや、受光素子の故障により半導体レーザが過大発光することを防ぐようになっている。
【特許文献１】特開平４−１０６７７号公報
【発明の開示】
【発明が解決しようとする課題】
【００１２】
しかしながら、上記のような従来の構成では、受光素子１００１ｂとモニタ回路１１０１間に外来ノイズが飛び込んだ場合、制御回路１１０２の出力は外来ノイズの影響を受けて変動し、電力回路１１０３もそれにより変動し、結果的に半導体レーザ１００１ａが異常発光に至る。そのため、半導体レーザによる発光を利用した各種機器において、その異常発光により誤動作や故障が発生するという問題点を有していた。
【００１３】
また、上記のように、もし半導体レーザが異常発光した場合でも、半導体レーザによる発光を利用した各種機器において、半導体レーザの異常発光による誤動作や故障が発生しないようにするためには、その異常発光を素早く検出して半導体レーザを消灯する必要がある。
【００１４】
本発明は、上記従来の問題点を解決するもので、半導体レーザによる発光を利用した各種機器において、外来ノイズやその他の原因による半導体レーザの異常発光を、より確実に抑えることができ、半導体レーザの異常発光による誤動作や故障を防止することができる半導体レーザ制御装置を提供する。
【課題を解決するための手段】
【００１５】
上記の課題を解決するために、本発明の請求項１に記載の半導体レーザ制御装置は、レーザ光を出射する半導体レーザと、前記レーザ光を光電変換し前記レーザ光に対応する電気信号を出力する受光素子と、前記受光素子からの前記電気信号と予め設定された目標電圧の基準信号とを比較し、その差分に応じた制御信号を出力する制御手段と、前記制御信号に従って前記差分を打ち消すように前記半導体レーザに駆動電流を供給する電流供給手段とを有し、前記制御手段の吸い込み電流能力より小さい吐き出し電流能力を増やし、前記制御手段における前記吸い込み電流能力と吐き出し電流能力を同等とし、前記駆動電流を安定に供給する構成としたことを特徴とする。
【００１６】
以上により、制御手段において電流能力的に吸い込み電流能力と吐き出し電流能力を同等にすることにより、半導体レーザの駆動電圧に、回路に飛び込む外来ノイズによる変動があったとしても、半導体レーザを発光させ異常発光に至らないようにすることができる。
【００１７】
また、本発明の請求項２に記載の半導体レーザ制御装置は、レーザ光を出射する半導体レーザと、前記レーザ光を光電変換し前記レーザ光に対応する電気信号を出力する受光素子と、前記受光素子からの前記電気信号と予め設定された目標電圧の基準信号とを比較し、その差分に応じた制御信号を出力する制御手段と、前記制御信号に従って前記差分を打ち消すように前記半導体レーザに駆動電流を供給する電流供給手段とを有し、前記電流供給手段によって前記制御手段の吸い込み電流能力より小さい吐き出し電流能力を補い、前記吸い込み電流能力と吐き出し電流能力を同等とし、前記駆動電流を安定化する構成としたことを特徴とする。
【００１８】
以上により、電流供給手段によって制御手段における吐き出し電流能力を補い、電流能力的に吸い込み電流能力と吐き出し電流能力を同等にすることにより、半導体レーザの駆動電圧に、回路に飛び込む外来ノイズによる変動があったとしても、半導体レーザを発光させ異常発光に至らないようにすることができる。
【００１９】
また、本発明の請求項３に記載の半導体レーザ制御装置は、レーザ光を出射する半導体レーザと、前記レーザ光を光電変換し前記レーザ光に対応する電気信号を出力する受光素子と、前記受光素子からの前記電気信号上のノイズを打ち消す手段と、前記ノイズ打ち消し手段からの信号と予め設定された目標電圧の基準信号とを比較し、その差分に応じた制御信号を出力する制御手段と、前記制御信号に従って前記差分を打ち消すように前記半導体レーザに駆動電流を供給する電流供給手段とを有し、前記ノイズ打ち消し手段よって前記受光素子からの前記電気信号上のノイズを打ち消し、前記駆動電流を安定化する構成としたことを特徴とする。
【００２０】
以上により、半導体レーザの駆動電圧を、回路に飛び込む外来ノイズによる変動が無い一定値に保った状態で、半導体レーザを発光させ異常発光に至らないようにすることができる。
【００２１】
また、本発明の請求項４に記載の半導体レーザ制御装置は、レーザ光を出射する半導体レーザと、前記レーザ光を光電変換し前記レーザ光に対応する電気信号を出力する受光素子と、前記受光素子からの前記電気信号上のノイズを抽出する手段と、前記受光素子からの前記電気信号と、前記ノイズ抽出手段からのノイズ成分を予め設定された目標電圧の基準信号に加算した信号とを比較し、その差分に応じた制御信号を出力する制御手段と、前記制御信号に従って前記差分を打ち消すように前記半導体レーザに駆動電流を供給する電流供給手段とを有し、前記ノイズ抽出手段からのノイズ成分と前記基準信号との加算によって、前記受光素子からの前記電気信号上のノイズを相殺し、前記駆動電流を安定化する構成としたことを特徴とする。
【００２２】
以上により、半導体レーザの駆動電圧を、回路に飛び込む外来ノイズによる変動が無い一定値に保った状態で、半導体レーザを発光させ異常発光に至らないようにすることができる。
【００２３】
また、本発明の請求項５に記載の半導体レーザ制御装置は、レーザ光を出射する半導体レーザと、前記レーザ光を光電変換し前記レーザ光に対応する電気信号を出力する受光素子と、前記受光素子からの前記電気信号により前記半導体レーザの異常発光を検出する手段と、前記受光素子からの前記電気信号と予め設定された目標電圧の基準信号とを比較し、その差分に応じた制御信号を出力する制御手段と、前記制御信号に従って前記差分を打ち消すように前記半導体レーザに駆動電流を供給する電流供給手段とを有し、前記異常発光検出手段からの異常発光検出信号によって、前記半導体レーザへの前記駆動電流の供給を停止する構成としたことを特徴とする。
【００２４】
以上により、回路に飛び込む外来ノイズやその他の原因により半導体レーザが異常発光した場合には、その異常発光を素早く検出して半導体レーザを消灯することができる。
また、本発明の請求項６に記載の半導体レーザ制御装置は、レーザ光を出射する半導体レーザと、前記レーザ光を光電変換し前記レーザ光に対応する電気信号を出力する受光素子と、前記受光素子からの前記電気信号上のノイズを検出する手段と、前記ノイズ検出手段からのノイズ検出信号により前記受光素子からの前記電気信号を保持する電圧保持手段と、前記電圧保持手段からの保持信号と予め設定された目標電圧の基準信号とを比較し、その差分に応じた制御信号を出力する制御手段と、前記制御信号に従って前記差分を打ち消すように前記半導体レーザに駆動電流を供給する電流供給手段とを有し、前記ノイズ検出手段で前記ノイズを検出した場合には、前記制御手段は、前記ノイズ検出前に前記電圧保持手段に保持した前記受光素子からの前記電気信号と前記基準信号とを比較して、前記制御信号への前記ノイズの影響をなくし、前記駆動電流を安定化する構成としたことを特徴とする。
【００２５】
以上により、半導体レーザの駆動電圧を、回路に飛び込む外来ノイズによる変動が無い一定値に保った状態で、半導体レーザを発光させ異常発光に至らないようにすることができる。
【発明の効果】
【００２６】
以上のように本発明によれば、半導体レーザの駆動電圧を、回路に飛び込む外来ノイズによる変動が無い一定値に保った状態で、半導体レーザを発光させ異常発光に至らないようにすることができる。
【００２７】
また、回路に飛び込む外来ノイズやその他の原因により半導体レーザが異常発光した場合には、その異常発光を素早く検出して半導体レーザを消灯することができる。
以上の結果、半導体レーザによる発光を利用した各種機器において、外来ノイズやその他の原因による半導体レーザの異常発光を、より確実に抑えることができ、半導体レーザの異常発光による誤動作や故障を防止することができる。
【発明を実施するための最良の形態】
【００２８】
以下、本発明の実施の形態を示す半導体レーザ制御装置について、図面を参照しながら具体的に説明する。
（実施の形態１）
本発明の実施の形態１の半導体レーザ制御装置を説明する。
【００２９】
図１は本実施の形態１の半導体レーザ制御装置の構成を示す回路図である。図１において、受光素子（ここでは、フォトダイオード）８は、半導体レーザ（ここでは、レーザダイオード）６から出射されるレーザ光を受光し、光電変換して対応する電気信号１０２を出力する。
【００３０】
フォトダイオード８からはパッケージ２０１内のオペアンプ２に接続されており、オペアンプ２では、基準電圧１による基準信号１０３とフォトダイオード８の出力する電気信号１０２との差分の電気信号として制御信号１０１が出力される。パッケージ２０１外のトランジスタ５を介して、この制御信号１０１におけるレーザ駆動電圧に相関する強度のレーザ発光をレーザダイオード６が行う。
【００３１】
このように、レーザダイオード６、フォトダイオード８、オペアンプ２、トランジスタ５を用いて、基準電圧１を目標値とするサーボループを形成することにより、このサーボループ制御によってレーザダイオード６からのレーザ光量の自動調整を行っている。
【００３２】
ここで、この回路に外来ノイズが飛び込んだ場合を説明する。
通常、電力削減のために、オペアンプ２は電流能力的に吐き出し電流能力よりも吸い込み電流能力の方が大きくなるように設計している。このように、オペアンプ２における吸い込み電流能力と吐き出し電流能力とがアンバランスで、電気信号１０２にノイズが載ると、電気信号１０２に伝達された外来ノイズはオペアンプ２で増幅され、制御信号１０１は外来ノイズを検波した形になり、レーザダイオード６が過大発光（異常発光）する。
【００３３】
そこで、オペアンプ２自身を、その設計段階で吐き出し電流能力を上記のような通常仕様に比べて増やすような回路構成としておき、オペアンプ２における吸い込み電流能力と吐き出し電流能力とを同等にすることにより、レーザダイオード６の駆動電圧１０１に、回路に飛び込む外来ノイズがあったとしても、レーザダイオード６を発光させ異常発光に至らないようにすることができ、上記のような不具合は解消され、オペアンプ２の電流能力を他の回路部分により補正しなくとも、外来ノイズによってレーザダイオード６が過大に発光することを防ぐことができる。ただし、この場合には、上記のようなオペアンプ２における電力削減については十分には期待できない。
（実施の形態２）
本発明の実施の形態２の半導体レーザ制御装置を説明する。
【００３４】
図２は本実施の形態２の半導体レーザ制御装置の構成を示す回路図である。図２において、レーザダイオード６、フォトダイオード８、オペアンプ２、トランジスタ５は、前述の実施の形態１の半導体レーザ制御装置において説明した素子に、それぞれ対応するものであるため、それらの説明を省略する。
【００３５】
トランジスタ２１は、オペアンプ２の吐き出し電流能力が吸い込み電流能力に比べて相対的に小さいことをカバーし、制御信号１０１における駆動電圧に相関する電気信号１０４をトランジスタ５に伝達する。
【００３６】
以上のように、トランジスタ２１およびトランジスタ５によって、オペアンプ２における吸い込み電流能力より相対的に小さい吐き出し電流能力をカバーすることにより、レーザダイオード６の駆動電圧１０１に、回路に飛び込む外来ノイズによる変動があったとしても、レーザダイオード６を発光させ異常発光に至らないようにすることができ、前述した実施の形態１の半導体レーザ制御装置のように、オペアンプ２の電流能力を補正しなくとも、外来ノイズによってレーザダイオード６が過大に発光することを防ぐことができる。
【００３７】
この場合には、オペアンプ２としては、上記のような通常仕様で設計しているオペアンプ、すなわち吐き出し電流能力が吸い込み電流能力に比べて相対的に小さいオペアンプを使用しているため、実施の形態１の場合とは異なり、オペアンプ２においてその設計どおりに十分に電力削減することができる。
（実施の形態３）
本発明の実施の形態３の半導体レーザ制御装置を説明する。
【００３８】
図３は本実施の形態３の半導体レーザ制御装置の構成を示す回路ブロック図である。図３において、レーザダイオード６、フォトダイオード８、オペアンプ２、トランジスタ５は、前述の実施の形態１の半導体レーザ制御装置において説明した素子に、それぞれ対応するものであるため、その説明を省略する。
【００３９】
ノイズキャンセラ２２は、電気信号１０２上に伝達された外来ノイズを取り除き、オペアンプ２に伝達する。
上記の構成により、レーザダイオード６の駆動電圧１０１を、回路に飛び込む外来ノイズによる変動が無い一定値に保った状態で、レーザダイオード６を発光させ異常発光に至らないようにすることができ、外来ノイズがレーザダイオード６の発光に影響しなくなる。
（実施の形態４）
本発明の実施の形態４の半導体レーザ制御装置を説明する。
【００４０】
図４は本実施の形態４の半導体レーザ制御装置の構成を示す回路ブロック図である。図４において、レーザダイオード６、フォトダイオード８、オペアンプ２、トランジスタ５は、前述の実施の形態１の半導体レーザ制御装置において説明した素子に、それぞれ対応するものであるため、その説明を省略する。
【００４１】
ノイズ抽出手段２３は、電気信号１０２に重畳している外来ノイズを抽出し、それを基準電圧１の基準信号１０３と加算した電気信号１０６をオペアンプ２に伝達する。オペアンプ２は、外来ノイズが重畳している電気信号１０２と電気信号１０６との差分を、制御信号１０１として出力するため、オペアンプ２からは、外来ノイズは相殺され制御信号１０１として出力される。
【００４２】
上記の構成により、レーザダイオード６の駆動電圧１０１を、回路に飛び込む外来ノイズによる変動が無い一定値に保った状態で、レーザダイオード６を発光させ異常発光に至らないようにすることができ、外来ノイズがレーザダイオード６の発光に影響しなくなる。
（実施の形態５）
本発明の実施の形態５の半導体レーザ制御装置を説明する。
【００４３】
図５は本実施の形態５の半導体レーザ制御装置の構成を示す回路ブロック図である。図５において、レーザダイオード６、フォトダイオード８、オペアンプ２、トランジスタ５は、前述の実施の形態１の半導体レーザ制御装置において説明した素子に、それぞれ対応するものであるため、その説明を省略する。
【００４４】
異常発光検出手段２４は、電気信号１０２に重畳している外来ノイズやその他の原因によるレーザダイオード６の異常発光を検出し、スイッチ２６を閉じるとともにスイッチ２７を開いて、トランジスタ５をオフ（ＯＦＦ）状態にしてレーザダイオード６を強制的に消灯する。
【００４５】
上記の構成により、回路に飛び込む外来ノイズやその他の原因によりレーザダイオード６が異常発光した場合には、そのレーザダイオード６の異常発光を素早く検出し、レーザダイオード６を消灯することができる。
（実施の形態６）
本発明の実施の形態６の半導体レーザ制御装置を説明する。
【００４６】
図６は本実施の形態６の半導体レーザ制御装置の構成を示す回路ブロック図である。図６において、レーザダイオード６、フォトダイオード８、オペアンプ２、トランジスタ５は、前述の実施の形態１の半導体レーザ制御装置において説明した素子に、それぞれ対応するものであるため、その説明を省略する。
【００４７】
異常発光検出手段２８は、電気信号１０２に重畳している外来ノイズやその他の原因によるレーザダイオード６の異常発光を検出し、スイッチ２９を開くことにより、レーザダイオード６を強制的に消灯する。
【００４８】
上記の構成により、回路に飛び込む外来ノイズやその他の原因によりレーザダイオード６が異常発光した場合には、そのレーザダイオード６の異常発光を素早く検出し、レーザダイオード６を消灯することができる。
（実施の形態７）
本発明の実施の形態７の半導体レーザ制御装置を説明する。
【００４９】
図７は本実施の形態７の半導体レーザ制御装置の構成を示す回路ブロック図である。図７において、レーザダイオード６、フォトダイオード８、オペアンプ２、トランジスタ５は、前述の実施の形態１の半導体レーザ制御装置において説明した素子に、それぞれ対応するものであるため、その説明を省略する。
【００５０】
ノイズ検出手段３０は、電気信号１０２に重畳している外来ノイズを検出し、ノイズ検出信号１１３として電圧保持手段に伝達する。電圧保持手段３１は、時間経過に伴って電気信号１０２のデータを所定容量だけ順次保持するようにしておき、外来ノイズがない場合は電気信号１０２をそのままオペアンプ２に伝達し、外来ノイズがある場合は、外来ノイズが飛び込む以前の電気信号１０２をオペアンプ２に伝達する。
【００５１】
ここで、外来ノイズが上記の回路に飛び込んだ場合、ノイズ検出手段３０は、電気信号１０２に重畳している外来ノイズを検出し、電圧保持手段３１へ制御信号１１３によって伝える。電圧保持手段３１は、ノイズが重畳する前の電気信号１０２をオペアンプ２に伝達する。
【００５２】
上記の構成により、レーザダイオード６の駆動電圧１０１を、回路に飛び込む外来ノイズによる変動が無い一定値に保った状態で、レーザダイオード６を発光させ異常発光に至らないようにすることができ、外来ノイズがレーザダイオード６の発光に影響しなくなる。
【００５３】
以上の各実施の形態で説明した構成により、レーザダイオードによる発光を利用した各種機器において、外来ノイズやその他の原因によるレーザダイオードの異常発光を、より確実に抑えることができ、レーザダイオードの異常発光による誤動作や故障を防止することができる。
【産業上の利用可能性】
【００５４】
本発明の半導体レーザ制御装置は、半導体レーザによる発光を利用した各種機器において、外来ノイズやその他の原因による半導体レーザの異常発光を、より確実に抑えることができ、半導体レーザの異常発光による誤動作や故障を防止することができるもので、半導体レーザによる発光を利用したレーザプリンタや光ディスク装置等の情報機器に使用する場合に有用である。
【図面の簡単な説明】
【００５５】
【図１】本発明の実施の形態１の半導体レーザ制御装置の構成を示す回路図
【図２】本発明の実施の形態２の半導体レーザ制御装置の構成を示す回路図
【図３】本発明の実施の形態３の半導体レーザ制御装置の構成を示す回路ブロック図
【図４】本発明の実施の形態４の半導体レーザ制御装置の構成を示す回路ブロック図
【図５】本発明の実施の形態５の半導体レーザ制御装置の構成を示す回路ブロック図
【図６】本発明の実施の形態６の半導体レーザ制御装置の構成を示す回路ブロック図
【図７】本発明の実施の形態７の半導体レーザ制御装置の構成を示す回路ブロック図
【図８】従来の半導体レーザ制御装置の構成を示すブロック図
【符号の説明】
【００５６】
１    基準電圧
２    オペアンプ（制御手段）
５    トランジスタ（電流供給手段）
６    レーザダイオード（半導体レーザ）
８    フォトダイオード（受光素子）
２１    トランジスタ（電流供給手段）
２２    ノイズキャンセラ
２３    ノイズ抽出手段
２４    異常発光検出手段
２８    異常発光検出手段
３０    ノイズ検出手段
３１    電圧保持手段
１０１    レーザ駆動電圧（制御信号）
２０１    パッケージ
【図１】
2006237177.tif 000003
【図２】
2006237177.tif 000004
【図３】
2006237177.tif 000005
【図４】
2006237177.tif 000006
【図５】
2006237177.tif 000007
【図６】
2006237177.tif 000008
【図７】
2006237177.tif 000009
【図８】
2006237177.tif 000010